Podtech/llm-jp-corpus-v4-ja_patent huggingface dataset:
(57)【要約】【課題】従来の鉛筆の削り・芯削りではパステル、木炭等の筆記具および描画材の芯を削ることとが想定されていなかったため、鉛筆削り機では鉛筆と同様の形状の筆記具および描画材以外の芯を削ることはできなかった。【解決手段】鉛筆・木炭・パステル・グラファイトなどの筆記具や描画材の芯を太さを問わず、削ることができるような形状としたことで、従来の鉛筆削りでは削ることのできなかった筆記具・描画材の芯を削ることができる。また、削りくずである粉を描画材料とすることができる。1枚のロール式紙やすりまたは紙やすりの短辺それぞれに円柱状の穴を作り、その穴に棒状の円柱を通すことで、従来の鉛筆削りでは削ることのできなかった鉛筆・木炭・パステル・グラファイトなどの筆記具や描画材の芯を削ることができる芯削り機となる。【選択図】図１
2016144894.tif 000002
【特許請求の範囲】
【請求項１】
短辺それぞれに円柱状の穴が作られた1枚のロール式紙やすりまたは紙やすりと、その穴に通された二本の棒状の円柱と、前記ロール式紙やすりの短辺の円柱状の穴に通された2本の棒状の円柱の先端と末端をセットするための円形の穴が開いている箱型の容器。
【発明の詳細な説明】
【技術分野】
【０００１】
本発明は、文字や絵を書くために使用される筆記具および描画材に関する。筆記具および描画材の芯を削り、削りかすとして粉状になった芯を再利用することも可能にする。
【背景技術】
【０００２】
筆記具の芯を削る用具として、鉛筆削り器は、机上などで使用する大型の電動駆動のもの、ハンドルを回転する手動駆動のもの、主としてカバンや筆箱に入れて携帯し、学校などで用いる小型のものがある。
【０００３】
しかし、従来の鉛筆の削り・芯削りでは鉛筆やパステル、木炭等の筆記具の芯を削ることとが想定されていなかったため、鉛筆削り機では鉛筆と同様の形状の筆記具以外の芯を削ることはできなかった。(直径が鉛筆以上の大きさの木炭やパステル等)
【先行技術文献】
【特許文献】
【０００４】
【特許文献１】特開2007-090625
【発明の概要】
【発明が解決しようとする課題】
【０００５】
本発明は、筆記具および描画材の芯を特殊形状の紙やすりで削ることで、筆記具および描画材の芯を従来の芯削り機では実現できなかった形状に削ることを可能にしたものである。
【０００６】
また、形状を問わず芯を削ることができるため、パステルや木炭等の芯削り機としても機能するものである。
【０００７】
紙やすりによる削りくずは粉状になる。そのため、粉状の描画材料としても利用可能となる。
【課題を解決するための手段】
【０００８】
筆記具および描画材の大きさを問わず芯を削るため、図１のような形状とする。紙やすりを用い、粉状の描画材料として芯を利用できるようにする。1枚のロール式紙やすりまたは紙やすりの短辺を筒状に丸め、円柱状の穴を作り、棒状の円柱に通したものである。これを容器にセットし、筆記具の芯を紙やすり部分で削る。使用した後に円柱を回転させ、使用する。
【発明の効果】
【０００９】
鉛筆・木炭・パステル・グラファイトなどの筆記具および描画材の芯を太さを問わず、削ることができる。また、形状もやすり方によって調節できるため、従来の鉛筆削りでは削ることのできなかった形状に筆記具の芯を削ることができる。また、削りくずである粉を描画材料とすることができる。
【図面の簡単な説明】
【００１０】
【図１】図1 :1は容器、2は筆記具、３は図２で示されている形状の筆記具および描画材の芯削り部分を示す。
【図２】図2 :この図は、一枚のロール式紙やすりの短辺を筒状に丸めて円柱状の穴を作り、棒状の円柱に通し、2本の棒状の円柱の間隔が容器に収まるまで紙やすり部分を棒に巻きつけた状態を表す。
【発明を実施するための形態】
【００１１】
以下、本発明の実施の形態を説明する。図２.二本の棒状の円柱が存在する。1枚のロール式紙やすりまたは紙やすり短辺を筒状に丸めて円柱状の穴をつくる。その穴を前記棒状の円柱に通す。その円柱を、箱型の容器に入れる。容器の大きさは携帯用・机上用で異なる。前記容器にはロール式紙やすりの短辺が接着した棒状の円柱の先端と末端をセットするための円形の穴が開いている。この穴に前記円柱の先端と末端をセットする。
【産業上の利用可能性】
【００１２】
使用方法：筆記具および描画材の芯を、紙やすり面にこすって削る。削って紙やすりが摩耗たら、棒状の円柱の先端または末端を回転させ、紙やすりの未使用部分を引き出し、使用する。紙やすりの未使用部分がなくなったところで、新しいロールと交換する。交換のロールは、円柱状の穴が両端に存在するロール式紙やすりまたは紙やすりである。
【符号の説明】
【００１３】
図1  1,3
図2  すべて
【図１】
2016144894.tif 000003
【図２】
2016144894.tif 000004
(57)【要約】      （修正有）【課題】鋏などの刃物の刃に被嵌するキャップに刃研ぎ部材を備えた刃研ぎ付きキャップを提供する。【解決手段】鋏やナイフなどの刃物の刃に被嵌するキャップの凹所にエッジを有する棒状の刃研ぎ部材を備えたこと、また、刃研ぎ部材は超硬合金を主体とするものからなること、を特徴とする刃研ぎ付きキャップを提供する。本発明によれば、エッジを有する棒状の刃研ぎ部材のエッジを刃に当てることで、刃と刃研ぎ部材との接地面が小さくなり力を効率よく加えることができるので、容易に刃を研ぐことができる。また、刃研ぎ部材は砥石のような平らな面積を必要としないため、小型化することができ、比較的小さいキャップなどに備えることができる。【選択図】図２
2016144844.tif 000002
【特許請求の範囲】
【請求項１】
鋏やナイフなどの刃物の刃に被嵌するキャップの凹所にエッジを有する棒状の刃研ぎ部材を備えたことを特徴とする刃研ぎ付きキャップ。
【請求項２】
刃研ぎ部材は超硬合金を主体とするものからなることを特徴とする請求項１記載の刃研ぎ付きキャップ。
【発明の詳細な説明】
【技術分野】
【０００１】
本発明は、鋏などの刃物の刃に被嵌するキャップに刃研ぎ部材を備えたものに関する。
【背景技術】
【０００２】
刃物の刃は使用するにつれて摩損し切れ味が落ちるため、刃を砥石などの研磨具で研ぎ、刃を鋭利にして切れ味をよくする必要がある。例えば、鋏やナイフなどは様々な場所で携帯し使用することがあるために、作業時に切れ味が落ちていることが判明しても研磨具を携帯していなければ、そのまま使用せねばならず作業効率が低下する。その解決する手段の一例として、特許文献１に記載されているナイフを収める鞘に研磨布紙又は砥石片などの研磨部材を取り付けているものがある。
【先行技術文献】
【特許文献】
【０００３】
【特許文献１】実開昭６０−１２９２７７号公報
【発明の概要】
【発明が解決しようとする課題】
【０００４】
しかしながら、刃物の鞘に砥石や研磨布紙を一体として取り付ける場合、研磨を行うには一定の大きさの平らな面積を有する必要があるために、ナイフのような刃の幅が大きく、鞘も大きいものには適しているが、鋏などの刃が比較的小さいものに被嵌するキャップに刃研ぎ部材を一体として取り付けるのに適していない。
【課題を解決するための手段】
【０００５】
上記の課題に鑑み、本発明では、鋏やナイフなどの刃物の刃に被嵌するキャップの凹所にエッジを有する棒状の刃研ぎ部材を備えたことを特徴とする刃研ぎ付きキャップを提供する。
【０００６】
また、上記の刃研ぎ付きキャップの構成に加え、刃研ぎ部材は超硬合金を主体とするものからなることを特徴とする刃研ぎ付きキャップである。
【発明の効果】
【０００７】
請求項１記載の発明によれば、エッジを有する棒状の刃研ぎ部材のエッジを刃に当てることで、刃と刃研ぎ部材との接地面が小さくなり力を効率よく加えることができるので、容易に刃を研ぐことができる。また、刃研ぎ部材は砥石のような平らな面積を必要としないため、小型化することができ、比較的小さいキャップなどに備えることができる。
【０００８】
請求項２記載の発明によれば、刃よりも非常に硬い超硬合金を主体とするものからなる刃研ぎ部材によって少ない力で刃を研ぐことができる。
【図面の簡単な説明】
【０００９】
【図１】本発明の実施形態に係る刃研ぎ付きキャップの構成の一例を示す概略図である。
【図２】刃研ぎ付きキャップの拡大斜視図である。
【図３】刃研ぎ付きキャップを用いた刃の研磨方法の一例を示す概念図である。
【発明を実施するための形態】
【００１０】
本発明の刃研ぎ付きキャップの一例について、図面に基づいて詳細に説明する。
【００１１】
本発明において、刃研ぎ付きキャップ１は図１に示すように、鋏３の刃を保護するため、鋏３の刃に被嵌されるものである。キャップ１は鋏３の刃が閉じた状態で装着できるような形状をABS樹脂によって成形され、先端部の凹所４に刃研ぎ部材２が一体となって配置されている。
【００１２】
また、図２において、鋏から離脱させた状態の刃研ぎ付きキャップを詳細に示している。キャップ１の先端部に凹所４を設け、そこに超硬タングステンを主体としたものからなる棒状の刃研ぎ部材２を固定する。この刃研ぎ部材２は凹所から突出しない程度の厚みを有する直方体であり、直方体の面が直角に交差することによってエッジ５が構成される。
【００１３】
このようなキャップ１に刃研ぎ部材２を一体とすることで、鋏などを携帯する際に、別に砥石などの研磨装置を携帯する手間が省け、使用場所において研磨することが可能になる。また、刃研ぎ部材２は凹所４に固定することで、刃研ぎ部材２と刃以外との接触による劣化や破損を抑制することができる。
【００１４】
次に、図３で示すように、刃研ぎ部材２を用いて刃６を研磨する方法を説明する。まず、鋏３を開いた状態にするとともにキャップ１を持ち、刃研ぎ部材２のエッジ５を刃６に接触させる。その後、刃研ぎ部材２を刃に沿った方向（矢印方向A）に接触させたまま適度に往復させて研磨することで、刃６を鋭利にする。
【００１５】
この刃研ぎ部材２のエッジ５を刃６に当てることで、刃６と刃研ぎ部材２との接地面が小さくなり、研ぐための力を効率よく加えることができる。また、刃６よりも非常に硬い超硬タングステンを主体とするものからなるため、研ぐための力は小さくなる。したがって、少ない力で容易に刃を研磨することができる。さらに、刃研ぎ部材２は砥石のような平らな面積を必要としないため、小型化することができる。
【００１６】
なお、以上の実施形態において、刃研ぎ部材２は刃６よりも十分硬ければよく、超硬タングステンを主体とするものからなるもののみに限らない。また、刃研ぎ部材２には鋭角なエッジ５があればよく、直方体のエッジのみに限らない。さらに、鋏のみに限らず刃に被嵌するキャップにも本発明を適用することができる。
【産業上の利用可能性】
【００１７】
鋏などのキャップの凹所に刃研ぎ部材を一体として配置することで、刃研ぎ付きキャップを提供することができ、その結果、鋏を携帯する際に邪魔にならず、どこでも刃を研ぐことができ、作業効率を向上させることが可能である。また、その刃研ぎ付きキャップを他の刃物の刃を研ぐために使用することも可能である。
【符号の説明】
【００１８】
１・・・キャップ、２・・・刃研ぎ部材、３・・・鋏、４・・・凹所、５・・・エッジ、６・・・刃、A・・・刃研ぎ方向
【図１】
2016144844.tif 000003
【図２】
2016144844.tif 000004
【図３】
2016144844.tif 000005
(57)【要約】      （修正有）【課題】二酸化炭素を光分解して炭化水素を製造する方法及び製造装置を提供すること。【解決手段】真空ポンプ５により真空にさせた真空本体１へ、二酸化炭素と蒸気を混合させた気体を投入微調整バルブ３により真空本体１へ投入させ、減圧・減温して混合気体を作り、混合気体は常時真空ポンプ５により減圧されているため、投入微調整バルブ３の投入量で混合気体の流量をコントロールでき、遠紫外線波長１４０ナノメートル前後以下の光子を照射させ、二酸化炭素と蒸気を光分解させて炭化水素とオゾンを製造する二酸化炭素を光分解して炭化水素を製造する方法及び製造装置。【選択図】図１
2016144792.tif 000002
【特許請求の範囲】
【請求項１】
本発明の二酸化炭素を光分解して炭化水素を製造する方法及び製造装置は、真空ポンプにより真空にさせた真空本体へ、二酸化炭素と蒸気を混合させた気体を投入微調整バルブにより真空本体へ投入させ、減圧・減温の混合気体を作る。混合気体は常時真空ポンプにより減圧されているため、投入微調整バルブの投入量で混合気体の流量をコントロールでき、遠紫外線波長１４０ナノメートル前後以下の照射装置で光子を照射させ、二酸化炭素と蒸気を光分解させ炭化水素とオゾンを製造できることを特徴とする二酸化炭素を光分解して炭化水素を製造する方法及び製造装置。
【発明の詳細な説明】
【技術分野】
【０００１】  本発明は、二酸化炭素を光分解して炭化水素を製造する方法及び製造装置に関するものである。
【背景技術】
【０００２】  二酸化炭素は安定した物質であり、安定した物質を分解するには、それなりのエネルギーが必要である。二酸化炭素の結合エネルギーより高い結合解離エネルギーが必要であり問題が有った。分解できても二酸化炭素だけではまた結合してしまう。
【先行技術文献】
【０００３】
【先行技術文献】
特開第２００９−２１３９７２号
【非特許文献】
【０００４】
【非特許文献１】高温下において、水分を含む気体から二酸化炭素を繰り返し吸・脱着することのできる二酸化炭素の吸着方法。
【発明の概要】
【発明が解決しようとする課題】
【０００５】  二酸化炭素は安定した物質であり、安定した物質を分解するには、それなりのエネルギーが必要である。遠紫外線波長１４０ナノメートル前後以下の光子は強力なフォトンエネルギーが有るが、大気中では有効照射範囲３〜５ミリと動きまわる気体に照射させる事は難題であった。【０００６】  二酸化炭素と蒸気を混合させた気体を逃がさず、流量の増減をコントロールして効率良く光分解させること。
【課題が解決するための手段】
【０００７】  二酸化炭素と蒸気を混合させた気体を逃がさず、流量をコントロールして効率良く光分解させるため、真空ポンプ５により真空本体１を真空にさせ、気体混合装置２より二酸化炭素と蒸気を混合させた気体を投入微調整バルブ３により真空本体１に投入させ、減圧・減温して混合蒸気を作る。投入微調整バルブ３と真空ポンプ５により流量をコントロールされた二酸化炭素と蒸気の混合気体を遠紫外線波長１４０ナノメートル前後以下の照射装置４下部の光子照射通路６を通過させ光分解させる。
【発明の効果】
【０００８】  大気中で有効照射範囲３〜５ミリは大気中の酸素分子や窒素分子に吸収されるためであり、当考案の二酸化炭素を光分解して炭化水素を製造する製造装置では、真空ポンプ５により常に減圧されているため真空に近いのと空気が入らないため照射範囲は倍増でき、二酸化炭素と蒸気を効率よく光分解させることができる。
【図面の簡単な説明】
【０００９】
【図１】二酸化炭素を光分解して炭化水素を製造する方法及び製造装置の全体図である。
【発明を実施するための形態】
【００１０】  気体混合装置で二酸化炭素と蒸気を混合させた混合気体を投入微調整バルブにより真空本体投入する。真空本体は真空ポンプが常時作動しているのため一定の減圧・減温状態であり、投入微調整バルブにより投入される投入混合気体量はコントロールでき、遠紫外線波長１４０ナノメートル前後以下の光子照射装置下部の光子照射通路で効率良く光分解できる。
【実施例１】
【００１１】  図１は二酸化炭素を光分解して炭化水素を製造する方法及び製造装置の全体図であって、
真空ポンプ５により真空にさせた真空本体１へ、気体混合装置２で二酸化炭素と蒸気を混合させた混合気体を投入微調整バルブ３により真空本体投入する。【００１２】  真空本体１は真空ポンプ５が常時作動しているのため一定の減圧・減温状態であり、投入微調整バルブにより投入される投入混合気体量はコントロールできる。【００１３】  混合気体は遠紫外線波長１４０ナノメートル前後以下の光子照射装置は分子結合を切断できるフォトンエネルギーが二酸化炭素と蒸気の分子結合エネルギーより高く、照射装置下部の光子照射通路６で効率良く光分解することができる。【００１４】  遠紫外線以下の周波数の光子はオゾンを生成しやすく二酸化炭素と蒸気の分子が切断されると酸素原子が結合してオゾンを生成され、炭素原子と水素原子は相性が良くが結合して、炭化水素になります。【００１５】  炭化水素は炭素と水素だけから成る化合物の総称で、石油、天然ガスは各種の炭化水素の混合物である。炭素と水素は相性の良い存在で、自然界でも石油、天然ガスはごく普通に結合してます。沼や湿地土中で有機物の腐敗・発酵によって発生するメタンガスも炭化水素ＣＨ４です。
【産業上の利用可能性】
【００１６】  二酸化炭素による地球温暖化が問題になっております。この不要物の二酸化炭素をどうにかする方法で考えられているのは、固体化して深海に投棄する方法や地中深く投棄する方法です。この二酸化炭素を再資源化できれば、化石燃料の代替が可能であり、炭化水素は利用・応用性がある。
【符号の説明】１  真空本体
２  気体混合装置
３  気体投入微調整バルブ
４  遠紫外線波長１４０ナノメートル前後以下の照射装置
５  真空ポンプ
６  光子照射通路
【図１】
2016144792.tif 000003
(57)【要約】【課題】  本来ビーコン信号を使ったシステムは、ビーコン信号受信時に商品情報を表示することを意図して使用していたが、ビーコン信号受信開始から受信終了まで、継続して記録処理を行うことは想定していなかった。【解決手段】  本発明はビーコン信号発信器より発信されるビーコン信号を使用して、ビーコン信号の受信を契機にアプリケーションを起動し、自動記録処理を開始する。ビーコン信号を受信している期間は記録処理を継続し、ビーコン信号が受信できなくなった時に、自動的に記録処理を終了するものである。これにより自動的記録のシステム開発が簡易に行えるようになった。【選択図】図１
2016144203.tif 000002
【特許請求の範囲】
【請求項１】
ビーコン信号発信器を設置している場所に携帯端末又は携帯電話を持参して近づけばビーコン信号を受信した携帯端末又は携帯電話にてアプリケーションを起動させ、更に携帯端末又は携帯電話はビーコン信号の届く範囲内、期間内で自動的に記録処理を行い続け、ビーコン信号範囲外となると自動的に記録処理を停止することを特徴としたビーコン信号を使用した自動記録システム。
【発明の詳細な説明】
【技術分野】
【０００１】  本発明はビーコン信号を契機とした、自動記録開始、および記録終了を行うシステムである。
【背景技術】
【０００２】  ビーコン信号を使ったシステムは、博物館や、商店などで展示物付近に設置したビーコン信号発信器の信号を使用し、携帯端末又は携帯電話にその展示物情報を表示していた。このように商品、展示物の広報手段として使われてきた。
【発明の概要】
【発明が解決しようとする課題】
【０００３】  上述したように、本来ビーコン信号を使ったシステムは、ビーコン信号受信時に商品情報を表示することを意図して使用していたが、ビーコン信号受信開始から受信終了まで、継続して記録処理を行うことは想定していなかった。
【課題を解決するための手段】
【０００４】  本発明はビーコン信号発信器より発信されるビーコン信号を使用して、ビーコン信号の受信を契機にアプリケーションを起動し、自動記録処理を開始する。ビーコン信号を受信している期間は記録処理を継続し、ビーコン信号が受信できなくなった時に、自動的に記録処理を終了するものである。これにより自動的記録のシステム開発が簡易に行えるようになった。
【発明の効果】
【０００５】  本発明によりビーコン信号受信による商品広告等、情報の表示のみに限らず、ビーコン信号受信により自動的にアプリケーションを起動させることで、事前にアプリケーションを起動することなく記録を取得できるようになった。
【図面の簡単な説明】
【０００６】
【図１】本発明のビーコン信号を使用したシステムの構成図
【発明を実施するための形態】
【０００７】  ビーコン信号発生機器と携帯端末又は携帯電話を使い、ビーコン信号の受信を契機にアプリケーションを起動し、記録を開始する。ビーコン信号受信範囲外で記録処理を終了する。
【実施例】
【０００８】  本発明の実施例として、勤怠管理システム、自動車運行記録システムがある。
まず、勤怠システムとしての実施例は、予め会社オフィス内にビーコン信号発生機器１を配置しておく。携帯端末又は携帯電話を持った社員が、オフィス内に入室してビーコン信号の受信を契機に、自動的にオフィスでの勤務記録（滞在記録）取得を始める。ビーコン信号受信可能範囲２内に滞在している間は記録処理を継続する。携帯端末又は携帯電話をもった社員がオフィス外に出ることで、ビーコン信号受信可能範囲２外となるため、それを契機として自動的に記録を終了する。これにより、自動的に勤怠記録が取得できる。
次に、自動車運行記録システムでは、車内にビーコン信号発生機器１を配置しておく。携帯端末又は携帯電話を持ち車内へ入りビーコン信号の受信を契機に、自動的に記録を始める。ビーコン信号受信可能範囲２（車内）に滞在している間はＧＰＳにて位置情報を記録し続ける。携帯端末又は携帯電話を持ち車外に出ることで、ビーコン信号受信可能範囲２外となるため、それを契機として自動的に位置情報の記録を終了する。これにより、自動的に運行記録が取得できる。
【符号の説明】１  ビーコン信号発生機器
２  ビーコン信号受信可能範囲
３  ビーコン信号受信可能範囲内となる携帯端末又は携帯電話
４  ビーコン信号受信可能範囲外となる携帯端末又は携帯電話
【図１】
2016144203.tif 000003
(57)【要約】      （修正有）【課題】カップ麺等を食べる際、容器と箸を片手で同時に持てるようにカップ容器の上部対角線上二か所に、外側に折り返す部分を設けた箸置きカップ容器を提供する。【解決手段】カップ容器１の上部の対角線上二か所に切り込み部分２、３を設け、外に折り返す部分４、５を設けた箸置きカップ容器を特徴とする。【選択図】図１
2016144613.tif 000002
【特許請求の範囲】
【請求項１】
カップ容器（１）の上部ふちの対角線の両端に切れ込み線二カ所（２）（３）を設け、外側に折りかえす事の出来る部分（４）（５）を設けた箸置きカップ容器。
【発明の詳細な説明】
【技術分野】
【０００１】この発明はカップ容器の上部に箸置き部分を設け、箸が転がることを防ぐ箸置きカップ容器に関するものである。
【背景技術】
【０００２】従来、カップ容器と箸は別々に置かれていた。又、容器を持つとき不安定であった。
【先行技術文献】
【０００３】
【発明の概要】
【発明が解決しようとする課題】
【０００４】これは、次のような欠点があった。
（イ）従来、カップ麺等を食する時、箸は手で持つか別の場所に置く必要があり箸を置く場所は決まっていなかった。
（ロ）カップ容器を持つ時、滑りやすく中味を落とすことがあった。
本発明は、以上のような欠点をなくすためになされたものである。
【課題を解決するための手段】
【０００５】カップ容器（１）の上部対角線上に二か所、切り取り線（２）（３）を作り外側に折れ曲がる部分（４）（５）を設ける。
本発明は以上の構成よりなる箸置き付きカップ麺容器である。
【発明の効果】
【０００６】（イ）カップ容器で中味を食べる際、途中で食べることを中断しても、容器と箸置きが一体化しているため、箸を衛生的にカップの上部部分に置くことが出来る。
（ロ）箸自体を使用している時、カップ容器の（４）又は（５）部分に親指を充てることでカップを取り落とすことなく使うことが出来る。
【図面の簡単な説明】
【０００７】
【図１】本発明の斜視図である。
【図２】本発明の断面図である。
【発明を実施するための形態】
【０００８】カップ容器（１）の上部の対角線上の二か所に、箸一対が安定して収まる程度の外側に折れ曲がる切り取り線（２）（３）を設ける。
蓋等を外した後、カップ容器（２）（３）を外側に折り返し箸をのせる部分（４）（５）を作る。カップ容器（４）（５）の部分に箸を渡しておく。
本発明は以上のような構造である。
これを使用するときは、切り取り線の部分（２）（３）を外側に折り返し、箸などを置けばよい。又、箸等を使用している歳、カップ容器の一方の窪み（４）又は（５）に親指をあてることでカップ容器を片手で持ちやすくすることが出来る。
【符号の説明】
【０００９】１    カップ容器
２    カップ容器の切り取り部分
３    カップ容器の切り取り部分
４    容器の折り返し部分
５    容器の折り返し部分
【図１】
2016144613.tif 000003
【図２】
2016144613.tif 000004
(57)【要約】【課題】    本発明はグランドゴルフのプレイがより公平に行われるためにホールポストの円形鉄製ゴール枠に取り付ける補助板を提供する。【解決手段】  鉄製の補助板（３）の両端に爪（４）を設けたことを特徴とする。【選択図】図１
2016144612.tif 000002
【特許請求の範囲】
【請求項１】
半円形の補助板（３）の両端に爪（４）を付けたグランドゴルフ．ホールポスト用の補助板。
【発明の詳細な説明】
【技術分野】
【０００１】  本発明はグランドゴルフのホールの確定及びホールイン．アウトの判定を明確にする．補助板に関するものである。
【背景技術】
【０００２】  従来補助板はなかった。
【先行技術文献】
【特許文献】
【０００３】
【発明の概要】
【発明が解決しようとする課題】
【０００４】  これには次のような欠点があった。
（イ）離れた場所からホールの輪郭がはっきり見えにくい。
（ロ）ホールポストの円形鉄製ゴール枠と地面に段差ができボールがその枠に当たりスムースな回転ができず止まってしまう。
（ハ）芝生の状態によってはボールが円形鉄製ゴール枠上に止まることもあり．ホールインかホールアウトかの判定が曖昧になることがある。
（ニ）ボールがホールポストの支柱に密着しボールを離すために１打よけいに打つ事になり不公平である。
本発明は以上の欠点を無くすために考えたものである。
【課題を解決するための手段】
【０００５】ホールポストの支柱（２）によって３分割された円形鉄製ゴール枠（１）のそれぞれのところに半円形の金属製の板（３）の端を架けて設置する。その際金属板が円形鉄製ゴール（１）から外れるのを防ぐため爪（４）をつける。
本発明は．以上の構成よりなるグランドゴルフホールポストの補助板である。
【発明の効果】
【０００６】（イ）補助板（３）によってボールが直接円形鉄製ゴール枠（１）に当たらずスムーズなボールの回転がえられる。
（ロ）補助板（３）に傾斜がついているので芝生の影響を受けずボールが円形鉄製ゴール枠（１）上に止まることがない。
（ハ）従ってホールイン．アウトの判定が明瞭になる。
（ニ）補助板（３）に傾斜がついているので支柱（２）にボールが着かず公平なプレイが期待できる。
（ホ）補助板（３）によって離れた所からもホールの位置が判明いやすい。
【図面の簡単な説明】
【０００７】
【図１】  本発明の斜視図である。
【図２】  本発明の断面図である。
【発明を実施するための形態】
【０００８】以下．本発明の実施をするための形態について説明する。
３枚の補助板（３）の端をそれぞれ支柱によって３分割された円形鉄製ゴール枠（１）の上に架けて設置する。その際補助板の両端についている爪（４）にてそれぞれ円形鉄製ゴール枠に固定する。使用後は簡単にはずして収納できる。
【符号の説明】
【０００９】１    円形鉄製ゴール枠
２    支柱
３    補助板
４    爪
５    ホールポスト
６    グランド
【図１】
2016144612.tif 000003
【図２】
2016144612.tif 000004
(57)【要約】【課題】日中雨が降っているときや夜雨が降っているときは車を運転していると視界が悪く歩行者を見つけにくいものです。【解決手段】傘の先端部に反射材シートをまきつけて張ることによりどの角度からも反射材シートが光り早く歩行者を見つけることができます。【選択図】図１
2016144616.tif 000002
【特許請求の範囲】
【請求項１】
傘の先端部に反射材シートを巻きつけて張ったピカッと傘
【発明の詳細な説明】
【技術分野】
【０００１】本発明は傘をさしたときに車から歩行者を早く見つける為のものです。
【背景技術】
【０００２】雨が降っているときは、運転者にとって視界が悪くなります。まして夜は特にそうです。
【発明の概要】
【発明が解決しようとする課題】
【０００３】雨の日に、運転していると視界が悪く、傘をさしている歩行者を  見つけにくいものです。まして夜は特に見つけにくいです。この発明は歩行者を少しでも早く見つけて事故を少なくするためのものです。
【課題を解決するための手段】
【０００４】傘の先端部分に反射シート材を巻きつけて張ったピカッと傘。
【発明の効果】
【０００５】雨が降っているときに、傘をさしたとき傘の先端部は一番上になり、反射材シートが巻きつけて張ってあるので、どこからでも光って見えるので車を運転している人はもちろんのこと、歩行者からもみえて事故防止になります。
【図面の簡単な説明】
【０００６】
【図１】本発明の使用状態図
【発明を実施するための形態】
【０００７】以下、本発明の実施の形態を説明します。
傘本体（１）の先端部（２）に反射材シート（３）を巻き付けます。
本発明は以上のような構造です。本発明を使用するときは傘をさすと反射材シートを巻いた先端部が上部にくるのでどこからでも光って見え歩行者が確認できます。
【符号の説明】
【０００８】１傘本体    ２先端部    ３反射材シート
【図１】
2016144616.tif 000003
【図２】
2016144616.tif 000004
【手続補正書】
【提出日】平成27年4月6日(2015.4.6)
【手続補正１】
【補正対象書類名】明細書
【補正対象項目名】０００６
【補正方法】変更
【補正の内容】
【０００６】
【図１】本発明の使用状態図
【図２】本発明の使用状態図
(57)【要約】【課題】多目的に使用可能な施工性に優れた、連結機能付穴明レンガを提供する。【解決手段】穴明レンガ上、下面に凸、凹状の接合部を設け、上、下段の連結を可能とし、数段積重ねることにより、レンガ内部に円筒形の空間を形成し保水剤、肥料、栄養剤等のストックを可能とした。【選択図】図１
2016144436.tif 000002
【特許請求の範囲】
【請求項１】
穴明レンガ上、下面に凸、凹状の接合部を設けた事を特徴とする、連結レンガ。
【請求項２】
穴明レンガ上、下面に凸、凹状の接合部を設けた事を特徴とする請求項１に記載の連結の連結レンガであって、その連結レンガを数段積上げることにより、形成されたレンガ内部の縦穴を保水剤、肥料、栄養剤、等のストッカーとすることを特徴とする穴明レンガによる工法。
【発明の詳細な説明】
【技術分野】
【０００１】本発明は連結、組積可能な穴明レンガに関するものである。
【背景技術】
【０００２】従来より広く使用されているレンガは、形状的には長方形、正方形で各材質が提案され、又、意匠性を重視した穴明レンガ等も一部使用されている。【０００３】しかし、このようなレンガの組積施工には専門的な技術を必要とするため、庭や、畠の境界に数段積む作業でも非常に手間のかかる作業であった。
【発明の概要】
【発明が解決しようとする課題】
【０００４】本発明の課題は熟練を必要とせず作業性、機能性に優れた穴明レンガを低価格で提供することにある。
【課題を解決するための手段】
【０００５】本発明の穴明レンガはレンガ本体の穴上面に凸部を設け下面に凹部を設けたことにより、その穴明レンガの上、下面の凸、凹部を合わせながら組積みすることにより、上記課題を解決したものである。
【発明の効果】
【０００６】本発明はレンガ上、下面に設けられた凸、凹部を合わせながら積上げることにより、大変手間のかかる曲線施工や、円形施工、直角、鋭角施工などを簡単に行うことができる。
【図面の簡単な説明】
【０００７】
【図１】本発明に係る穴明レンガの、正面図
【図２】上面図
【図３】底面図
【図４】側面図
【図５】一部断面図
【図６】円形斜視説明図
【図７】組積一部断面図
【図８】簡易水槽斜視図
【図９】角型斜視図
【発明を実施するための形態】
【０００８】本発明の穴明レンガは幅の倍数で長さを変えることができる。
その場合凸、凹部を必要箇所に設けることにより、多くの組積パターンを作成することができる。
【実施例】
【０００９】本発明による穴明レンガは図８に示すように簡単に撤去可能な簡易水槽を作ることができる。【００１０】又、本発明によれば積上げた穴明レンガ内部に筒状スペースを形成することができるため、その筒内部に保水剤、肥料、栄養剤を保持しつつ、ゆっくり放出させることができる。
【符号の説明】
【００１１】１  凸部
２  穴明レンガ
３  穴
４  凹部
５  保水剤、肥料、栄養剤等
６  水槽用防水シート
７  水
【図１】
2016144436.tif 000003
【図２】
2016144436.tif 000004
【図３】
2016144436.tif 000005
【図４】
2016144436.tif 000006
【図５】
2016144436.tif 000007
【図６】
2016144436.tif 000008
【図７】
2016144436.tif 000009
【図８】
2016144436.tif 000010
【図９】
2016144436.tif 000011
(57)【要約】      （修正有）【課題】夏季の寝苦しさを緩和し、高熱患者を癒す、通気性補助寝具を提供する。【解決手段】夏季、睡眠の不快の主な原因は、身体の発する体温と発汗による湿気が、寝具の掛布の下に停滞するためであり、睡眠の快適化は、この停滞する体温と湿気を放出することであり、この放出を無動力方式で行うのが通気性補助寝具Ａである。掛布３中央の正方形開口からその周辺下側に、上端開口を吊り紐を介して吊具に吊った軟筒体の下部の四の連結端辺部を、敷き込み連結してなり、掛布周辺の隙間から吸気し上端開口から放出する通気性補助寝具である。また、軟筒体と掛布と連結体で構成した三部構成通気性補助寝具もよい。これらの補助寝具は高熱の患者には特に快適感を齎す。【選択図】図１
2016067494.tif 000002
【特許請求の範囲】
【請求項１】
上端開口の硬枠材４で吊られた一体軟筒体２と掛布３とで構成し、その軟筒体の下部の等間隔四等分され、軽量スポンジ材の複数本を接着された各連結端辺部６を、前記掛布の開口の周辺の下に敷き込み、掛布と連結することを特徴とする通気性補助寝具。
【請求項２】
上端開口の硬枠材で吊られた単独軟筒体と掛布と連結体で構成し、その連結体の各連結端辺部を掛布中央部の開口周辺の下に敷き込み連結し、かつ連結体の短い軟筒部分を前記単独軟筒体の軟枠材辺に挿入連結することを特徴とする三部構成通気性補助寝具。
【発明の詳細な説明】
【技術分野】
【０００１】
本発明は、自然通気による防暑防湿機能を有する通気性補助寝具である。
【背景技術】
【０００２】
夏季の睡眠を無動力方式で快適にするには現存の寝具や関連道具では限界がある。
【先行技術文献】
【特許文献】
【０００３】
【特許文献１】特開２０１０−１２１４６２
【特許文献２】特開２００８−１５５０９８
【発明の概要】
【発明が解決しようとする課題】
【０００４】
夏季、夜具による寝苦しさ、発熱患者の不快感を軽減、解消する通気を促進する通気性補助寝具を提供する。
【課題を解決するための手段】
【０００５】
本発明の通気性補助寝具は、上端開口で吊られた一体軟筒体と掛布とで構成し、その軟筒体の下部の等間隔四等分の各連結端辺部を、前記掛布中央部の開口周辺部の下に敷き込み、その周辺部と連結する補助寝具である。
また、本発明の三部構成通気性補助寝具は、上端開口で吊られた単独軟筒体と掛布と連結体で構成し、その連結体の各連結端辺部を掛布中央部の開口周辺の下に敷き込み連結し、かつ連結体の短い軟筒部分を単独軟筒体の下枠材辺に挿入連結する通気性補助寝具である。
【発明の効果】
【０００６】
本発明の通気性補助寝具は、軟筒体の煙突効果による掛布下内の温湿気を無動力で速やかに排出し、夏季、健常使用者や発熱患者に涼感を感じさせる、つまり快眠をもたらす省エネ性の補助寝具である。
【図面の簡単な説明】
【０００７】
【図１】通気性補助寝具の使用時の、一体軟筒体を天井から吊るし、敷き床の上に仰臥する人間が掛布を掛けている状況の、立断面図である。
【発明を実施するための形態】
【０００８】
本発明を図1に基づいて説明する。前記のように本発明の通気性補助寝具Aは、図1に示すように高さ約２mの一体軟筒体２と掛布３で構成し、周長約1.2mまでのこの軟筒体は、その上部開口の硬枠材４を天井５または所定高さのスタンドで吊り、その下部を等間隔四等分に、縦軸方向に約30cm切り込み各連結端辺部６とし、前記掛布の中央部の約30cmまでの四隅の丸いコーナー付き正方形の掛布開口から四方の周辺下側に前記連結端辺部６を敷き込み、それらの各端辺部を掛布開口周辺と複数の安全ピン８などで連結したものである。この軟筒体が前記連結端辺部と連続一体ゆえに一体軟筒体と称する。
【０００９】
掛布の下に敷き込まれた各連結端辺部６と身体の間に通気スペースを確保するために、敷き込んだ各端辺部のその下面に厚さ約１cm巾約３cmの軽量スポンジ材９複数本を、各連結端辺部の敷き込み折り線から端辺まで垂直に接着固定してあり、それらのうち両側辺に沿うものは、一本を分割した複数の短片を間隔を置いて配置し、さらに筒体状に保持するために軟筒体３の敷き込み折り線から上方の位置に四角形の下の可変形の軟枠材１０が水平に配置してある。
この軟筒体下部は、掛布の開口でジャバラのように折り重ねて、開口周辺から外部への暖気の流出を防ぐことや、身体の動きに追従することが可能である。なお、前記開口は掛布の中央部を等しく三辺をカットし、上側に折り返して開口としている。
【００１０】
この補助寝具で就寝すると掛布下内に生じる温湿気が、動力を使わず省エネ的に、煙突効果のある軟筒体により室内上部へ排気され、掛布の周辺の隙間より室内空気が吸入され、就寝者は涼感を感じることになる。病院大部屋の発熱患者は四季を通じ一層効果的である。
なお、夏季以外掛布は、折り返し部を戻し、本体の部分に安全ピンなどで繋ぎ開口を閉じて使う。また、軟筒体の中間水平の配設したひもやバンドなどにより、筒体を絞り通気の調節をしてもよく、軟枠材に絞り機能を付加してもよい。
【００１１】
また、通気性補助寝具は、単独軟筒体と掛布と連結体とで構成する三部構成の通気性補助寝具もよく（図省略）、前記軟筒体３を軟枠材９の下側で水平に分割し、単独軟筒体と連結部に分け、この連結部は短い軟筒部分と前記同様の四の連結端辺部でなり、その軟筒部分を単独軟筒体の下枠材辺の内側に挿入し、ボタンなどで連結し二部分構成の軟筒体とし、この二部分構成軟筒体の各連結端辺部を前記同様に掛布と連結し三部構成通気性補助寝具とする。この三部分構成は、通気性補助寝具の組み立て解体を容易にするのである。
前記スタンドはベッドの側部に固定した細棒の、または床の下への差し込み部の一端に立つ細棒であり、その上端に、軟筒体上部の硬枠材に結ばれたひもを掛けるのである。なお、両軟筒体は、斜めに吊ってもよく、下の軟枠材より上端の硬枠材へ細くしてもよい。また、前記の単独軟筒体は、プラスチックフィルム製もよい。
【符号の説明】
【００１２】
A通気性補助寝具、２一体軟筒体、３掛布、４硬枠材、５天井、
６連結端辺部、８安全ピン、９軽量スポンジ材、１０軟枠材、
【図１】
2016067494.tif 000003
(57)【要約】【課題】従来のオープン両開きファスナーの端末部品は、布を金具に挟み込んでいる部位の布が破断した【解決手段】破断を無くす為の部品を指で摘める様に大きくしたオープン両開きファスナー端末摘まみ部品で解決する。【選択図】図２
2016067856.tif 000002
【特許請求の範囲】
【請求項１】
オープン両開きファスナーの端末部品を大きくした端末摘まみ部品
【発明の詳細な説明】
【技術分野】
【０００１】本発明はオープン両開きファスナーの端末摘まみ部品を挿入し易い様にする為の端末摘まみ部品に関するものである。
【技術背景】
【０００２】従来のオープン両開きファスナーの端末部品は、布を金具に挟み込んでいる部位が破断してしまう、この破断を無くす為の部品を指で摘める様に大きくしたオープン両開きファスナー端末摘まみ部品である。
【先行技術文献】
【特許文献】
【０００３】
【特許文献１】特許出願公開番号  特許公開２０１０−９５９２９
【発明の概要】
【発明が解決しようとする課題】
【０００４】従来のオープン両開きファスナーの端末部品は、布を金具に挟み込んでいる部位が破断してしまう、この破断を無くす為の部品を指で摘める様に大きくしたオープン両開きファスナー端末摘まみ部品である。
【課題を解決するための手段】
【０００５】本発明が解決しようとするオープン両開きファスナーの端末部品は、布を金具に挟み込んでいる部位が破断してしまう、この破断を無くす為の部品を指で摘める様に大きくしたオープン両開きファスナー端末摘まみ部品に関する部品である。
【発明の効果】
【０００６】従来のオープン両開きファスナーの端末部品は、布を金具に挟み込んでいる部位が破断してしまう、この破断を無くす為の金具を指で摘める様に大きくしたオープン両開きファスナー端末摘まみ部品で布の破断を防ぐ効果がある。
【図面の簡単な説明】
【０００７】
【図１】従来のオープン両開きファスナーの端末部品図
【図２】本発明のオープン両開きファスナーの端末摘まみ部品図
【発明を実施するための最良の形態】
【０００８】従来のオープン両開きファスナーの端末部品は、布を金具に挟み込んでいる部位の布が破断してしまう、この破断を無くす為の金具を指で摘める様に大きくしたオープン両開きファスナー端末摘まみ部品で布の破断を防ぐ効果があり、特に使用するにとって最良の形態となります
【実施例】
【０００９】以下、添付図面で実施例を説明する。
図１は従来のオープン両開きファスナーの端末部品図
図２は本発明のオープン両開きファスナーの端末摘まみ部品図
【産業上の利用可能性】
【０００１０】従来のオープン両開きファスナーの端末部品は、布を金具に挟み込んでいる部位の布が破断してしまう、この破断を無くす為の金具を指で摘める様に大きくしたオープン両開きファスナー端末摘まみ部品で布の破断を防ぐ効果があり、これを利用すれば世の中に大きく貢献し利益を生む可能性がある。
【符号の説明】
【０００１０】１    従来のオープン両開きファスナーの端末部の布の破断部
２    従来のオープン両開きファスナーの端末部品
３    本発明のオープン両開きファスナーの端末部品を大きくした端末摘まみ部品
【図１】
2016067856.tif 000003
【図２】
2016067856.tif 000004
(57)【要約】      （修正有）【課題】坂道を上り下りするとき（登山など）に、足に負担がかかりにくく、楽に上り下り出来るように、又、オートバイなどの地面への足着き性を良くするために、靴の前後の高さが変わり、角度を付けることの出来る靴を提供する。【解決手段】靴裏の前と後ろに移動できる、踵２のようなものを靴裏に取り付けて靴に角度を設ける。または、靴の前後に付けてある、アイゼンのようなものを、前を立てるか、後ろを立てることによって靴の前後の高さを変え、靴に角度を設ける。【選択図】図１
2016067858.tif 000002
【特許請求の範囲】
【請求項１】
靴の前にも後ろにも容易に、踵のような高さのある物が容易に移動できる靴。
例えば図１のように、靴の中央付近にヒンジのような構造のもの（１）を設け、踵を（２）を留め金（３）で止めるもの。
図４のように、踵（５）が中央付近でピン止め（４）してあり回転させるもの。
図７のように、踵（７）を装着し、横の方からピン（６）を入れて止めるもの。
図１０のように、寝ているアイゼンのような物（８）（９）を立てるもの。
とにかく容易に靴の前後の高さが変わり、角度が付けられようにする靴である。
【発明の詳細な説明】
【技術分野】
【０００１】  この発明は、靴の底に踵を付けるか、又はアイゼンのようなものを立てることによって、靴の前後の高さを変え、靴に角度を付ける靴に関するものである。
【背景技術】
【０００２】  従来の踵付き靴は、踵（靴の後ろの部分だけ）に新たな踵を付けて靴に角度を付けた物であった。
【先行技術文献】
【特許文献】
【０００３】
【発明の概要】
【発明が解決しようとする課題】
【０００４】  以上に述べた従来の踵付き靴では、次のような欠点があった。
坂道を上るときは靴に角度が付いて良いのだが、下りになると逆に角度が付きかなりの負担が足にかかる。
本発明は、以上のような欠点をなくすためになされたものである。
【課題を解決するための手段】
【０００５】  そして、本発明は上記目的を達成するために、靴裏の前後に移動できる踵のようなものを設け、靴に角度を付けるものである。
あるいは靴の前後に、アイゼンのようなものを取り付け、それを立てることによって靴の高さを変え、靴に角度を付けるものである。
【発明の効果】
【０００６】  本発明の靴は簡単に踵を靴の前後に移動、あるいはアイゼンのようなものをワンタッチで立てることによって、靴の前後の高さを変える。そうする事により、坂道で上りになっても下りになっても、まるで平地を歩くような足首の角度を保つことができ、非常に楽に坂道を歩ける。
（図１４、図１５参照）
登山をする時もかなり楽に上り下りしやすい。【０００７】  また一つの例として、踵を前に移動しておけば、車高の高い、足つきの悪いオートバイでも足が楽に地面に届くようになるという効果も発揮する。
【図面の簡単な説明】
【０００８】
【図１】  本発明の左側面図である。
【図２】  本発明の左側面図である。
【図３】  本発明の左側面図である。
【図４】  本発明の左側面図である。
【図５】  本発明の底面図である。
【図６】  本発明の底面図である。
【図７】  本発明の左側面図である。
【図８】  本発明の左側面図である。
【図９】  本発明の底面図である。
【図１０】  本発明の底面図である。
【図１１】  本発明の左側面図である。
【図１２】  本発明の左側面図である。
【図１３】  本発明の左側面図である。
【図１４】  本発明の左側面図である。
【図１５】  本発明の左側面図である、
【発明を実施するための形態】
【０００９】  以下、本発明を実施するための形態について説明する。
１例目は図１のように、靴の中央部付近に金属製のヒンジのような構造もの（１）を設ける。ヒンジっぽいものに踵（２）を取り付け、留め金（３）で止めることによって、つま先と踵の２方向に可倒式にする。
２例目は図２のように、靴の中央付近にピン（４）で踵（５）を止め、踵は図５、図６のような回転式である。それを回転することによってつま先と踵の方向に踵が移動できる。
３例目は図７、図８のように、踵（７）を取り外すことができ、それをピン（６）によって靴の前又は後ろで取り付けるものである。
４例目は図１１のように、靴の前後に可倒式のアイゼンのようなものを（８）（９）設け、前を立てるか、後ろを立てることによって靴の前後の高さを変えるものである。
本発明は、以上のような構造である。
これを使用するときは、坂道に応じてワンタッチで靴の前後の高さを変えればよい。
【符号の説明】
【００１０】１  ヒンジのような構造のもの
２  踵
３  留め金
４  ピン
５  踵
６  ピン
７  踵
８  アイゼンのようなもの
９  アイゼンのようなもの
【図１】
2016067858.tif 000003
【図２】
2016067858.tif 000004
【図３】
2016067858.tif 000005
【図４】
2016067858.tif 000006
【図５】
2016067858.tif 000007
【図６】
2016067858.tif 000008
【図７】
2016067858.tif 000009
【図８】
2016067858.tif 000010
【図９】
2016067858.tif 000011
【図１０】
2016067858.tif 000012
【図１１】
2016067858.tif 000013
【図１２】
2016067858.tif 000014
【図１３】
2016067858.tif 000015
【図１４】
2016067858.tif 000016
【図１５】
2016067858.tif 000017
(57)【要約】【課題】ハンカチのアイロンがけは、労力や時間などが費やされます。また、火傷や火災の恐れもあり子供が手伝うことは困難でした。  本発明は、誰にでも簡単スムーズにハンカチのしわとりが出来るためのハンカチのしわとりきを提供する。【解決手段】ヒーター入りローラーとヒーター入りローラーとの接地面間隔を変更するばねを設け、回転ネジ式ローラー接地面間隔変更ハンドルにてローラー接地面間隔を変更することにより厚みの違うハンカチをローラーに通す特徴とするハンカチのしわとりき。【選択図】図２
2016067860.tif 000002
【特許請求の範囲】
【請求項１】
ヒーター入りローラーの接地面間隔変更にばねを設け、回転ネジ式ヒーター入りローラー接地面間隔変更ハンドルを設けたハンカチのしわとりき。
【発明の詳細な説明】
【技術分野】
【０００１】  本発明は、洗濯後のハンカチのアイロンがけしわとりに関するものである。
【背景技術】
【０００２】  従来、ハンカチのアイロンがけは手に持ったアイロンをアイロン台に載せたハンカチを人の手によって行っている。
【先行技術文献】
【０００３】
【特許文献１】  実開平５−５１２６５号公報
【発明の概要】
【発明が解決しようとする課題】
【０００４】  ハンカチのアイロンがけは、労力や時間などが費やされます。また、火傷や火災の恐れもあり子供が手伝うことは困難でした。
【課題を解決するための手段】
【０００５】  モーターで回転する二つのヒーター入りローラーを設け、二つのヒーター入りローラーの接地面間隔を変更する為のばねを設け、回転ネジ式ヒーター入りローラー接地面間隔変更のハンドルを設ける。
以上の構成によりなるハンカチのしわとりき。
【発明の効果】
【０００６】  労力、時間や火傷など、本発明により容易且つ安全にハンカチのしわとりができる。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
（イ）本体（８）に上下に取付けられたヒーター入りローラー（１）とヒーター入りローラー（２）の接地面間隔を変更する為にばね（３）をヒーター入りローラー（１）とヒーター入りローラー（２）の両端へ付ける。セラミックヒーター（６）をヒーター入りローラー（１）、（２）の内部に入れる。モーター（５）でヒーター入りローラー（１）、（２）を回転させる。
（ロ）回転ネジ式ヒーター入りローラー接地面間隔変更ハンドル（４）を設ける。ヒーター入りローラー（１）、（２）の接地面間隔調整をばね（３）で行いヒーター入りローラー（１）、（２）の両端にある回転ネジ式ヒーター入りローター接地面間隔変更ハンドルはゴム（７）で連動してどちらか一方の操作で行う。
本発明は以上のような構造である。
本発明を使用するときは、ヒーター入りローラー（１）とヒーター入りローラー（２）の間に広げたハンカチを挿入します。ヒーターによって温められたローラーの間を通ることで熱と圧力によりしわを取ります。二つ折や４つ折にしたハンカチをヒーター入りローラー（１）とヒーター入りローラー（２）へ挿入する場合は、回転ネジ式ヒーター入りローラー接地面間隔変更ハンドル（４）を回してローラー接地面間隔を変更致します。
【符号の説明】
【０００９】１  ヒーター入りローラー、２  ヒーター入りローラー、３  ばね、
４  回転ネジ式ヒーター入りローラー接地面間隔変更ハンドル、
５  モーター、６  セラミックヒーター、７  ゴム、８  本体
【図１】
2016067860.tif 000003
【図２】
2016067860.tif 000004